(57)【特許請求の範囲】
【請求項１】
メダル状の円板体と円板体の発射装置とからなり、以下の要件を備えたことを特徴とする円板体の回転飛ばし玩具。
（イ）上記発射装置には円板体の発射部とグリップとが設けられていること
（ロ）上記発射部には、円板体を保持可能な開口部を有する略半球形の凹部が形成され、凹部の中央には円板体を嵌合保持可能な嵌合溝が形成されていること
（ハ）上記発射部には上記開口部又は嵌合溝に保持された円板体を前方に回転させながら弾く円板体弾き部材が配置され、該円板体弾き部材は、付勢手段によって円板体を弾き飛ばす方向に付勢されていること
（ニ）上記グリップには、上記円板体弾き部材を付勢手段に抗して円板体の後方に係止させる操作レバーを、係止解除方向に作動可能に設けたこと
【請求項２】
前記発射部の左右及び上部には、平面部が形成されている、請求項１に記載の円板体の回転飛ばし玩具。
【請求項３】
前記円板体の外周縁が表裏いずれか一方に傾いて形成された、請求項１に記載の円板体の回転飛ばし玩具。
【請求項４】
前記円板体は、ドーナツ状の側部材と該側部材の中央部に嵌め込まれる円板とから構成されている、前記請求項１、２又は３に記載の円板体の回転飛ばし玩具。
【発明の詳細な説明】
【０００１】
【発明の属する技術分野】
本発明は、メダル状の円板体を回転させながら弾き飛ばす円板体の回転飛ばし玩具に関する。
【０００２】
【従来技術とその問題点】
物体を飛ばして遊ぶ玩具として、ビー玉や円板を弾き飛ばして目標にぶつけて遊ぶ玩具が子どもに受け入れられている。
【０００３】
しかしながら、ビー玉や円板はいずれも真直方向に飛ばすだけであり、より変化に富んだ遊びの提供が望まれていた。
【０００４】
【発明が解決しようとする課題】
本発明は上記問題点を解消し、メダル状の円板体を回転させながら弾き飛ばす回転飛ばし玩具を提供することをその課題とする。
【０００５】
【課題を解決するための手段】
前記課題を解決するため、本発明に係る円板体の回転飛ばし玩具は、メダル状の円板体と円板体の発射装置とからなり、以下の要件を備えたことを特徴とする。
（イ）上記発射装置には円板体の発射部とグリップとが設けられていること
（ロ）上記発射部には、円板体を保持可能な開口部を有する略半球形の凹部が形成され、凹部の中央には円板体を嵌合保持可能な嵌合溝が形成されていること
（ハ）上記発射部には上記開口部又は嵌合溝に保持された円板体を前方に回転させながら弾く円板体弾き部材が配置され、該円板体弾き部材は、付勢手段によって円板体を弾き飛ばす方向に付勢されていること
（ニ）上記グリップには、上記円板体弾き部材を付勢手段に抗して円板体の後方に係止させる操作レバーを、係止解除方向に作動可能に設けたこと
【０００６】
なお、前記発射部の左右及び上部には、平面部を形成するのが好ましい。
【０００７】
また、前記円板体の外周縁が表裏いずれか一方に傾いて形成してもよい。
【０００８】
さらに、前記円板体は、ドーナツ状の側部材と該側部材の中央部に嵌め込まれる円板とから構成してもよい。
【０００９】
【発明の実施の形態】
図１は円板体の回転飛ばし玩具の斜視図で、この回転飛ばし玩具は、メダル状の円板体１と円板体１の発射装置２とから構成されている。
【００１０】
上記発射装置２の装置本体２ａには円板体１の発射部３とグリップ４とが設けられている。
【００１１】
上記発射部３には、円板体１を保持可能な開口部５を有する略半球形の凹部６が形成され、凹部６の中央には円板体１を嵌合保持可能な嵌合溝７が形成されている。
【００１２】
上記開口部５の内周にはリング８が嵌めこまれ、リング８の内面には円板体１の周面を押圧する保持用凸部９が形成されている。１０は円板体１の押しこみを規制するストッパである。
【００１３】
嵌合溝７の溝幅は円板体１の厚みとほぼ同じ程度に形成され、溝の深さは円板体１を嵌合したときに円板体１が保持される程度とすればよい。
【００１４】
また、上記発射部３には上記開口部５又は嵌合溝７に保持された円板体１を前方に回転させながら弾く円板体弾き部材１１が配置されている。この弾き部材１１は、図２に示されるように、開口部５のグリップ４側に配置された支軸１２に回動可能に設けられ、一方には弾き部１３が、他方にはバネ受け部１４が形成されている。そして、弾き部１３がバネ（付勢手段）１５によって円板体１を弾き飛ばす方向（前方）に付勢されている。
【００１５】
なお、グリップ４には、弾き部材１１をバネ力に抗して図２の反時計方向に回動させる押し杆１６が横方向に移動可能に配置されている。押し杆１６は上記弾き部材１１から退避するようにコイルバネ１７で後方に付勢され、押しこまれたときに先端が弾き部材１１のバネ受け部１４に係合するように配置されている。
【００１６】
次に、上記グリップ４には操作レバー１８が回動可能に配置されている。この操作レバー１８は一端部が支軸１９に枢着され、他端部が指掛け部２０となっている。そして、バネ２１によって上記指掛け部２０が装置本体２ａから突出するように付勢されている。また、操作レバー１８には、弾き部材１１の先端に係止可能な係止部２２が形成されている。この係止部２２は弾き部材１１がバネ２１に抗して後方に回動したときに弾き部１３の先端に係止するように形成されている。
【００１７】
なお、発射部３の左右及び上部には、平面部２３が形成されている。この平面部２３は床などの遊び面に置いて安定させるためのものである。
【００１８】
次に、上記構成の回転弾き玩具の使用態様について説明すると、図３に示されるように、まず、押し杆１６を押しこんで弾き部材１１を回動させ、操作レバー１８の係止部２２に係止させておく。そして、玩具本体の発射部３の開口部５に円板体１を嵌めこんで保持させ、床面に対して装置本体２ａを横に寝かせるように載置する。適宜の方向を定めて図４のように操作レバー１８を引くと、操作レバー１８は係止部２２が係止解除する方向に作動するので、弾き部材１１がバネ１５のバネ力によって前方に回動して弾き部１３が円板体１の縁の近傍を打撃する。この打撃力によって、円板体１は開口部５から弾き飛ばされるが、縁を叩かれるので、円板体１は矢印のように直径を中心に回転しながら弾き飛ばされる。
【００１９】
また、図５のように円板体１を玩具本体の凹部６の嵌合溝７に保持させて装置本体２ａを倒置して床面に置き、上述と同じ要領で、図６のように操作レバー１８を作動させて円板体１を弾き出すと、今度は円板体１は中心の回りに車輪のように回転しながら移動する。
【００２０】
次に、円板体１はメダル又はコインと同じ程度の大きさで、図１のような金属又は合成樹脂から構成されたものでよいが、図７のように、ドーナツ状の側部材２４と該部材２４の中央部に嵌め込まれる円板２５とから構成してもよい。側部材２４の内側には、１２０度のピッチで弾性片２６が形成され、また側部材２４の内周面には上記弾性片２６と６０度ずらして受け片２８が内方に突出形成されている。弾性片２６は側部材２４の内面に形成された切欠き部２９の底部から突出形成されたＬ字形の部材で、先端は表側に向いている。受け片２８は裏側の近くに配置形成されている。
【００２１】
円板２５は金属から構成するのがよく、その一方の面には適宜の意匠を施すのが好ましい。
【００２２】
円板２５は上記側部材２４の表側から強く押しつけて図８のようにその内側に収めればよい。なお、側部材２４の外周縁の断面形状は、図８のように円弧状でも、図９（ａ）のように平面状でも、同図（ｂ）のように山形でもよく、あるいは同図（ｃ）のように、周縁が表裏いずれか一方に傾いて形成するようにしてもよい。また、円板体１は合成樹脂や金属単体から構成してもよい。
【００２３】
側部材２４を合成樹脂にすると、床面上を回転するときに音が小さくなるから、騒音がしない。また、円板体１の外周縁の形状によっても思いがけない動きが得られる。例えば、図８及び図９（ａ）のものは回転が安定するが、同図（ｂ）のものは回転が不安定となり、同図（ｃ）のものは一方に傾きやすくなる。
【００２４】
以上のように、１つの玩具で２種類の回転飛ばしができるので、従来にない面白さがあるほか、円板体１の動きが単純な真直的動きではなく、操作の熟練によって所望の方向に移動させることができるので、飽きにくい。
【００２５】
【発明の効果】
請求項１に係る発明によれば、弾き部材を付勢手段に抗して円板体の後方に係止させた後、発射部の開口部か嵌合溝に円板体を保持させ、操作レバーを上記係止を解除する方向に作動させることにより、円板体はバネ力によって弾き出される。このとき、回転体は前方に回転しながら移動する。回転態様は発射部の開口部に保持させるか嵌合溝に保持させるかによって異なる。したがって、１つの玩具で２種類の回転飛ばしができるので、従来にない面白さがあるほか、円板体の動きが単純な真直的動きではないから、飽きにくい。
【００２６】
請求項２に係る発明によれば、発射部の左右及び上部には、平面部が形成されているので、発射部を横に寝かせて安定させることや倒置させて安定させることができる。
【００２７】
請求項３に係る発明によれば、円板体の周縁が表裏いずれか一方に傾いて形成されているので、円板体が不安定に動き、面白い効果が出せる。
【００２８】
請求項４に係る発明によれば、円板体１は、ドーナツ状の側部材と該側部材の中央部に嵌め込まれる円板とから構成されているので、円板を金属から構成し、その表面にいろいろな模様を施した多種類の円板を用意しておくことによって多様な組み合わせが可能となる。
【図面の簡単な説明】
【図１】本発明に係る円板体の回転飛ばし玩具の斜視図
【図２】上記回転飛ばし玩具の縦断面図
【図３】上記回転飛ばし玩具の作動前の状態を平面で示した縦断面図
【図４】上記回転飛ばし玩具の作動態様を示す縦断面図
【図５】上記回転飛ばし玩具の他の例の作動前の縦断面図
【図６】上記回転飛ばし玩具の作動態様を示す縦断面図
【図７】回転板の例の平面図
【図８】図７のＸ−Ｘ線上の断面図
【図９】（ａ）（ｂ）（ｃ）はそれぞれ回転板の例の縦断面図
【符号の説明】
１  円板体
２  発射装置
３  発射部
５  開口部
６  凹部
７  嵌合溝
１１  弾き部材
１８  操作レバー
【図１】
0003581849.tif 000002
【図２】
0003581849.tif 000003
【図３】
0003581849.tif 000004
【図４】
0003581849.tif 000005
【図５】
0003581849.tif 000006
【図６】
0003581849.tif 000007
【図７】
0003581849.tif 000008
【図８】
0003581849.tif 000009
【図９】
0003581849.tif 000010